(57)【要約】【課題】使用するセンサの数を抑制しつつ適切な条件で浄水処理を行うことが可能な水処理システムを実現すること。【解決手段】データ管理装置１は、第１浄水場に設けられたセンサによって取得された第１の測定データおよび第２浄水場に設けられたセンサによって取得された第２の測定データ、第１浄水場および第２浄水場のそれぞれの設備データを取得するデータ取得部１１と、第１の測定データおよび第２の測定データに基づいて補完することが可能な水質項目の測定データである補完可能データを特定する補完可能データ特定部１３と、補完可能データに対応する水質項目を第１浄水場および第２浄水場に通知する補完可能データ通知部１４と、測定データの補完要求を受けると、第１の測定データまたは第２の測定データと設備データとに基づいて補完データを作成する補完データ作成部１６と、補完データを出力する補完データ出力部１７と、を備える。【選択図】図２
2022002826.tif 000002
【特許請求の範囲】
【請求項１】
第１浄水場に設けられたセンサによって取得された第１の測定データおよび第２浄水場に設けられたセンサによって取得された第２の測定データを取得する測定データ取得部と、
前記第１浄水場および前記第２浄水場のそれぞれの設備データを取得する設備データ取得部と、
前記第１の測定データおよび前記第２の測定データに基づいて補完することが可能な水質項目の測定データである補完可能データを特定する補完可能データ特定部と、
前記補完可能データに対応する水質項目を前記第１浄水場および前記第２浄水場に通知する補完可能データ通知部と、
前記第１浄水場または前記第２浄水場から測定データの補完要求を受けると、前記第１の測定データまたは前記第２の測定データと前記設備データとに基づいて、前記補完要求に対応する補完データを作成する補完データ作成部と、
前記補完データ作成部が作成した前記補完データを出力する補完データ出力部と、
を備えることを特徴とするデータ管理システム。
【請求項２】
前記設備データは、前記第１浄水場および前記第２浄水場の位置情報、または、前記第１浄水場と前記第２浄水場との距離の情報と、前記第１浄水場および前記第２浄水場の水源である河川の形状および水深の情報とを含む、
ことを特徴とする請求項１に記載のデータ管理システム。
【請求項３】
前記第１浄水場に設けられたセンサの数と前記第２浄水場に設けられたセンサの数とが異なる、
ことを特徴とする請求項１または２に記載のデータ管理システム。
【請求項４】
前記第１浄水場および前記第２浄水場は同じ水源から水を取り込む、
ことを特徴とする請求項１から３のいずれか一つに記載のデータ管理システム。
【請求項５】
前記水源は河川であり、
前記第１浄水場は前記河川の前記第２浄水場よりも上流側に設けられ、
前記補完データ作成部は、前記第１浄水場と前記第２浄水場との間の距離と、前記第１の測定データとに基づいて、前記第１浄水場が備える水質センサで測定可能でありかつ前記第２浄水場が備える水質センサでは測定することができない水質項目の測定データを作成する、
ことを特徴とする請求項４に記載のデータ管理システム。
【請求項６】
前記第１の測定データが異常な値を示すか否かを判定する水質異常検出部と、
前記水質異常検出部による検出結果を前記第２浄水場に通知する警告部と、
をさらに備えることを特徴とする請求項５に記載のデータ管理システム。
【請求項７】
前記水質異常検出部は、前記第２浄水場が取り込む水の水質が異常な値となる時刻を推定し、
前記警告部は前記水質異常検出部が推定した前記時刻を前記第２浄水場に通知する、
ことを特徴とする請求項６に記載のデータ管理システム。
【請求項８】
第１浄水場に設けられたセンサによって取得された第１の測定データおよび第２浄水場に設けられたセンサによって取得された第２の測定データを取得する測定データ取得ステップと、
前記第１浄水場および前記第２浄水場のそれぞれの設備データを取得する設備データ取得ステップと、
前記第１の測定データおよび前記第２の測定データに基づいて補完することが可能な水質項目の測定データである補完可能データを特定する補完可能データ特定ステップと、
前記補完可能データに対応する水質項目を前記第１浄水場および前記第２浄水場に通知する補完可能データ通知ステップと、
前記第１浄水場または前記第２浄水場から測定データの補完要求を受け付ける要求受付ステップと、
前記第１の測定データまたは前記第２の測定データと前記設備データとに基づいて、前記補完要求に対応する補完データを作成する補完データ作成ステップと、
前記補完データ作成ステップで作成した前記補完データを出力する補完データ出力ステップと、
を含むことを特徴とするデータ管理方法。
【請求項９】
第１浄水場に設けられたセンサによって取得された第１の測定データおよび第２浄水場に設けられたセンサによって取得された第２の測定データを取得する測定データ取得ステップと、
前記第１浄水場および前記第２浄水場のそれぞれの設備データを取得する設備データ取得ステップと、
前記第１の測定データおよび前記第２の測定データに基づいて補完することが可能な水質項目の測定データである補完可能データを特定する補完可能データ特定ステップと、
前記補完可能データに対応する水質項目を前記第１浄水場および前記第２浄水場に通知する補完可能データ通知ステップと、
前記第１浄水場または前記第２浄水場から測定データの補完要求を受け付ける要求受付ステップと、
前記第１の測定データまたは前記第２の測定データと前記設備データとに基づいて、前記補完要求に対応する補完データを作成する補完データ作成ステップと、
前記補完データ作成ステップで作成した前記補完データを出力する補完データ出力ステップと、
をコンピュータに実行させることを特徴とするデータ管理プログラム。
【発明の詳細な説明】
【技術分野】
【０００１】
本開示は、水源から取り入れた水を浄化する水処理システムに適用されるデータ管理システム、データ管理方法およびデータ管理プログラムに関する。
【背景技術】
【０００２】
水源から取り入れた水を浄化する浄水場では、原水の水質に応じて適切な浄水処理を行うことが要求される。そのため、浄水場は、湖沼、ダムなどの取水源から取り込んだ原水の水質を観測するための各種センサを有する（例えば、特許文献１参照）。
【先行技術文献】
【特許文献】
【０００３】
【特許文献１】特開平７−２０１１９号公報
【発明の概要】
【発明が解決しようとする課題】
【０００４】
上述したように、適切な浄水処理を行うためには、原水の水質を把握する必要がある。すなわち、浄水場では、原水の水質に適した条件で浄水処理を行い、定められた水質基準を満たす水を生成する。水質基準は様々な項目で成り立っており、各水質項目を測定するためには水質項目のそれぞれに対応する複数種類のセンサが必要となる。しかしながら、取り付けるセンサの数が多くなると設備が大規模となり、設備費およびメンテナンス費用といったコストがかかる。そのため、設置するセンサの数を抑制しつつ適切な条件で処理水を生成することが可能な技術の実現が望まれる。
【０００５】
本開示は、上記に鑑みてなされたものであって、使用するセンサの数を抑制しつつ適切な条件で浄水処理を行うことが可能な水処理システムを実現するデータ管理システムを得ることを目的とする。
【課題を解決するための手段】
【０００６】
上述した課題を解決し、目的を達成するために、本開示にかかるデータ管理システムは、第１浄水場に設けられたセンサによって取得された第１の測定データおよび第２浄水場に設けられたセンサによって取得された第２の測定データを取得する測定データ取得部と、第１浄水場および第２浄水場のそれぞれの設備データを取得する設備データ取得部と、第１の測定データおよび第２の測定データに基づいて補完することが可能な水質項目の測定データである補完可能データを特定する補完可能データ特定部と、を備える。また、データ管理システムは、補完可能データに対応する水質項目を第１浄水場および第２浄水場に通知する補完可能データ通知部と、第１浄水場または第２浄水場から測定データの補完要求を受けると、第１の測定データまたは第２の測定データと設備データとに基づいて、補完要求に対応する補完データを作成する補完データ作成部と、補完データ作成部が作成した補完データを出力する補完データ出力部と、を備える。
【発明の効果】
【０００７】
本開示によれば、使用するセンサの数を抑制しつつ適切な条件で浄水処理を行うことが可能な水処理システムを実現できる、という効果を奏する。
【図面の簡単な説明】
【０００８】
【図１】実施の形態１にかかる水処理システムの全体構成の一例を示す図
【図２】実施の形態１にかかるデータ管理装置の構成例を示す図
【図３】実施の形態１にかかるデータ管理装置の動作の一例を示すフローチャート
【図４】実施の形態１にかかるデータ管理装置が各浄水場から取得する測定データを示す図
【図５】実施の形態１にかかる水処理システムの変形例を示す図
【図６】実施の形態２にかかるデータ管理装置の構成例を示す図
【図７】実施の形態２にかかるデータ管理装置の動作の一例を示すフローチャート
【図８】データ管理装置を実現するハードウェアの一例を示す図
【発明を実施するための形態】
【０００９】
以下に、本開示の実施の形態にかかるデータ管理システム、データ管理方法およびデータ管理プログラムを図面に基づいて詳細に説明する。
【００１０】
実施の形態１．
図１は、実施の形態１にかかる水処理システムの全体構成の一例を示す図である。実施の形態１にかかる水処理システム１００は、データ管理システムを実現するデータ管理装置１と、第１浄水場３１と、第２浄水場３２とを含む。第１浄水場３１および第２浄水場３２は河川２を水源とし、河川２から取り込まれた水である原水を浄化する。なお、第１浄水場３１および第２浄水場３２のそれぞれが水を取り込む位置は異なる。以下の説明では、各浄水場が水を取り込む位置を取水位置と称する場合がある。図１では、水処理システム１００が第１浄水場３１および第２浄水場３２の２つの浄水場を含む構成としたが、３つ以上の浄水場を含む構成であってもよい。すなわち、水処理システム１００に含まれる浄水場の数は複数であればよい。
【００１１】
データ管理装置１は、第１浄水場３１および第２浄水場３２のそれぞれと通信が可能である。データ管理装置１は、第１浄水場３１および第２浄水場３２のそれぞれが備える各種水質センサから出力される測定データを収集して管理する。また、データ管理装置１は、収集した測定データに基づき、河川２の任意の位置における水質を推定する機能を有する。以下の説明ではこの機能を水質推定機能と称する場合がある。データ管理装置１の詳細については後述する。
【００１２】
第１浄水場３１は河川２の上流側に設けられ、第２浄水場３２は河川２の下流側すなわち第１浄水場３１よりも下流側に設けられている。また、第１浄水場３１は水質センサＡ、ＢおよびＣの３種類の水質センサを備え、第２浄水場３２は水質センサＡおよびＢの２種類の水質センサを備える。すなわち、第１浄水場３１は第１の数の水質センサを備え、第２浄水場３２は第１の数とは異なる第２の数の水質センサを備える。第２浄水場３２は水質センサＣを備えていないため、測定可能な水質の項目が第１浄水場３１よりも少ない。なお、本実施の形態では、水質センサＡにより測定された水質を水質Ａと称する。同様に、水質センサＢにより測定された水質を水質Ｂ、水質センサＣにより測定された水質を水質Ｃと称する。
【００１３】
ここで、図１に示すように、第１浄水場３１と第２浄水場３２とは河川２を水源としており、水源が同じであるため、各浄水場が取り込む水の性質には関連性がある。そのため、水処理システム１００においては、データ管理装置１が、水質推定機能を使用し、第２浄水場３２では測定することができない水質Ｃを第１浄水場３１で測定された水質Ｃに基づいて推定する補完動作を行う。第２浄水場３２は、水質Ｃの推定結果を示す補完データをデータ管理装置１から取得し、取得した補完データを用いて浄水処理を行う。
【００１４】
図２は、実施の形態１にかかるデータ管理装置１の構成例を示す図である。データ管理装置１は、データ取得部１１、データ登録部１２、補完可能データ特定部１３、補完可能データ通知部１４、補完要求受付部１５、補完データ作成部１６、補完データ出力部１７、記憶部１８および通信部２０を備える。記憶部１８は水質データ保持部１９Ａおよび設備データ保持部１８Ｂを含む。なお、本実施の形態では、図２に示すデータ取得部１１〜通信部２０の各構成要素が単一の装置すなわちデータ管理装置１に設けられることとしたが、これらの各部を複数の装置に分散させて配置し、各装置に設けられた各部が互いに共同してデータ管理システムとして動作するようにしてもよい。例えば、記憶部１８がデータ管理装置１の外部の記憶装置、サーバなどに設けられた構成としてもよいし、通信部２０がデータ管理装置１の外部の通信装置で実現される構成としてもよい。つまり、本実施の形態にかかるデータ管理システムは、図２に示すデータ管理装置１単独で実現されてもよいし、図２に示すデータ管理装置１の各構成要素が分散配置された複数の装置で実現されてもよい。
【００１５】
データ取得部１１は、第１浄水場３１および第２浄水場３２から測定データを取得する。データ取得部１１が第１浄水場３１から取得した測定データは第１の測定データ、データ取得部１１が第２浄水場３２から取得した測定データは第２の測定データである。データ登録部１２は、データ取得部１１が取得した測定データを水質データ保持部１９Ａに登録する。ここでの登録とは、測定データを水質データ保持部１９Ａに格納することを意味する。
【００１６】
補完可能データ特定部１３は、水質データ保持部１９Ａが保持している測定データに基づいて推定することが可能な水質項目を特定する。すなわち、補完可能データ特定部１３は、水質データ保持部１９Ａが保持している測定データに基づいて補完することが可能な測定データである補完可能データを特定する。補完可能データ通知部１４は、補完可能データ特定部１３で特定された補完可能データの項目を、すなわち、データ管理装置１が推定することが可能な水質項目を、第１浄水場３１および第２浄水場３２に通知する。
【００１７】
補完要求受付部１５は、第１浄水場３１および第２浄水場３２から補完要求を受け付ける。補完要求とは、浄水処理で使用する複数の水質項目のデータのうち、不足しているデータを要求するための信号である。補完データ作成部１６は、補完要求受付部１５が受け付けた補完要求が示す水質項目を推定し、推定結果を示すデータを補完データとして作成する。補完データ出力部１７は、補完データ作成部１６が作成した補完データを補完要求の送信元の浄水場に向けて出力する。
【００１８】
記憶部１８の水質データ保持部１９Ａは、測定データ取得部であるデータ取得部１１が各浄水場から取得した測定データを水質データとして保持する。また、記憶部１８の設備データ保持部１９Ｂは、水処理システム１００を構成する各浄水場についての各種情報を設備データとして保持する。設備データは、各浄水場が備える水質センサの情報、各浄水場が設置されている場所を示す位置情報、浄水場間の距離、水源である河川２の形状および水深、などを含む。設備データは、水質データ保持部１９Ａが保持している水質データに基づいて補完データ作成部１６が水質を推定する際に用いられる。設備データに含まれる上記の各情報は設備データ保持部１９Ｂに予め格納されているものとするが、設備データに含まれる情報の一部または全部を各浄水場から取得する構成としてもよい。このような構成とする場合、例えば、データ取得部１１が設備データ取得部として動作することで、各浄水場から必要な情報を取得する。
【００１９】
通信部２０は、第１浄水場３１および第２浄水場３２との間で制御信号およびデータ信号を送受信する。
【００２０】
つづいて、データ管理装置１の動作について、図１〜図４を参照しながら説明する。図３は、実施の形態１にかかるデータ管理装置１の動作の一例を示すフローチャートである。図４は、実施の形態１にかかるデータ管理装置１が各浄水場から取得する測定データを示す図である。
【００２１】
図３に示すように、データ管理装置１は、各浄水場から測定データを取得する（ステップＳ１１）。具体的には、データ取得部１１が第１浄水場３１および第２浄水場３２から測定データを取得し、これをデータ登録部１２が水質データ保持部１９Ａに格納する。ステップＳ１１においては、第１浄水場３１および第２浄水場３２のそれぞれが一定期間毎に測定データを送信するようにしてもよいし、データ取得部１１が一定期間毎に第１浄水場３１および第２浄水場３２にデータの送信を要求して測定データを取得するようにしてもよい。本実施の形態では、データ取得部１１は、図４に示すように、第１浄水場３１から水質Ａ、ＢおよびＣの測定データを取得し、第２浄水場３２から水質ＡおよびＢの測定データを取得する。なお、図４においては、データ管理装置１が浄水場から取得する測定データを「○」で表し、浄水場から取得しない測定データは「×」で表している。
【００２２】
データ管理装置１は、各浄水場から測定データを取得すると、次に、補完可能なデータを特定して各浄水場に通知する（ステップＳ１２）。補完可能なデータの特定は補完可能データ特定部１３が行い、各浄水場への通知は補完可能データ通知部１４が行う。本実施の形態では、水質Ａおよび水質Ｂが第１浄水場３１および第２浄水場３２で測定され、一方、水質Ｃは第１浄水場３１のみで測定される。そのため、補完可能データ特定部１３は、水質Ｃのデータが補完可能なデータであると判断する。補完可能データ通知部１４は、水質Ｃのデータを補完可能であることを第１浄水場３１および第２浄水場３２の両方に通知してもよいし、水質センサＣを備えておらず水質Ｃを測定することができない第２浄水場３２のみに通知するようにしてもよい。
【００２３】
なお、図１に示す例では河川２から水を取り込む浄水場を２箇所としたが、浄水場が３箇所以上の場合、補完可能データ特定部１３は、一部の浄水場でのみ測定される項目の水質のデータを、補完可能なデータであると判断する。また、補完可能データ通知部１４は、補完可能なデータが複数存在する場合、補完可能なデータの全部を各浄水場に通知する。
【００２４】
データ管理装置１は、補完可能なデータの通知を行った後、データ補完要求を受信したかを確認する（ステップＳ１３）。データ管理装置１は、補完可能なデータの通知を行ってからデータ補完要求を受信することなく一定時間が経過した場合（ステップＳ１３：Ｎｏ）、ステップＳ１１に戻って動作を継続する。一方、データ管理装置１は、補完可能なデータの通知を行ってから一定時間が経過する前にデータ補完要求を受信した場合（ステップＳ１３：Ｙｅｓ）、補完データを作成して送信する（ステップＳ１４）。ステップＳ１３では、補完要求受付部１５が、データ補完要求を受信したか否かを確認する。ステップＳ１４では、補完データ作成部１６が、データ補完要求で要求された水質の補完データを作成し、補完データ出力部１７が、データ補完要求の送信元の浄水場へ補完データを送信する。
【００２５】
本実施の形態では、水質センサＣを備えていない第２浄水場３２から水質Ｃの補完データが要求される可能性がある。第２浄水場３２から水質Ｃの補完データが要求された場合、補完データ作成部１６は、データ取得部１１が第１浄水場３１から取得した水質Ｃの測定データと、第１浄水場３１と第２浄水場３２との間の距離および河川２の水の流れの速度とに基づいて、第２浄水場３２で取り込まれる水の水質Ｃを推定する。補完データ作成部１６は、例えば、第１浄水場３１から第２浄水場３２まで水が流れるのに要する時間を求め、この時間分だけ現在時刻から遡った時点に測定した水質Ｃに対して係数を掛け合わせることで、第２浄水場３２で取り込まれる水の水質Ｃを推定する。係数は、シミュレーションを行うなどして決定される。河川２を流れる水の速度は、例えばマニング式を用いて補完データ作成部１６が算出する。第１浄水場３１と第２浄水場３２との間の距離は、第１浄水場３１および第２浄水場３２の位置情報に基づいて補完データ作成部１６が算出してもよい。河川２の水の流れの速度は、流速を計測するセンサが河川２に設けられている場合にはセンサから取得してもよい。
【００２６】
第１浄水場３１および第２浄水場３２は、補完可能なデータの通知をデータ管理装置１から受け、補完が必要なデータがあれば、データの補完を要求する。本実施の形態において、第２浄水場３２は、測定することができない水質Ｃのデータを使用して浄水処理を行う場合、データ補完要求を送信して水質Ｃのデータの補完を要求する。
【００２７】
以上説明したように、実施の形態１にかかる水処理システム１００において、データ管理装置１は、第１浄水場３１および第２浄水場３２から、水質データを取得し、取得した水質データに基づいて補完可能なデータの通知を各浄水場に対して行う。また、データ管理装置１は、浄水場からデータ補完要求を受信した場合、要求された水質項目の補完データを作成して浄水場へ送信する。水処理システム１００において、第２浄水場３２は、水質Ｃを測定することができないが、第１浄水場３１で測定された水質Ｃに基づいて、データ管理装置１が第２浄水場３２における水質Ｃを推定するため、第２浄水場３２は水質Ｃのデータを使用した浄水処理を行うことができる。水処理システム１００によれば、システム全体で使用するセンサの数を抑制しつつ、第１浄水場３１および第２浄水場３２において水質に応じた適切な条件で浄水処理を行うことができる。
【００２８】
なお、本実施の形態では、下流側の浄水場（第２浄水場３２）で測定できない水質項目（水質Ｃ）を上流側の浄水場（第１浄水場３１）での測定結果に基づいて推定する例を示したが、上流側の浄水場で測定できない水質項目を下流側の浄水場での測定結果に基づいて推定することも可能である。この場合、データ管理装置１は、例えば、下流側の浄水場での測定結果の時間変動を解析し、この解析結果に基づいて、上流側の浄水場で取り込まれる水の水質を推定する。上流側の浄水場における水質の時間変動と、下流側の浄水場における水質の時間変動との間には相関がある。そのため、データ管理装置１は、下流側の浄水場で測定した水質と、下流側の浄水場における水質の時間変動とに基づいて、上流側の浄水場が取り込む水の水質を推定することができる。
【００２９】
また、本実施の形態では、下流側の浄水場（第２浄水場３２）に水質センサＣが設置されていないために測定できない水質項目（水質Ｃ）を上流側の浄水場（第１浄水場３１）での測定結果に基づいて推定する例を示したが、下流側の浄水場（第２浄水場３２）に設置された水質センサＢが故障、点検、清掃などの理由で使えなくなった場合に、上流側の浄水場（第１浄水場３１）で計測された水質Ｂを使って、下流側の浄水場（第２浄水場３２）の水質Ｂを推定する手段としても用いることもできる。よって、水処理システム１００全体としての障害耐性を高めることができる。
【００３０】
また、下流側の浄水場（第２浄水場３２）に設置された水質センサＢが故障により、水質Ｂが不正な値を示すようになった場合に、上流側の浄水場（第１浄水場３１）での測定結果に基づいて推定された水質Ｂの値と比較することで、値が不正であることを確認する手段としても用いることができる。よって、設備の保守担当の作業者が各浄水場の水質センサを直接確認しなくても故障を発見することができ、メンテナンスの手間を低減することができる。
【００３１】
上流側の浄水場に設置された水質センサが故障、点検、清掃などの理由で使用できない場合についても同様に、下流側の浄水場の水質センサで計測された水質の値を使って、値の推定、不正な値であることの確認を行う手段として用いることができる。
【００３２】
また、本実施の形態ではデータ管理装置１が各浄水場の位置情報を予め保持しているものとしたが、各浄水場がＧＰＳ（Global  Positioning  System）センサなどを備えて位置情報を取得することが可能な場合、データ管理装置１は、各浄水場から位置情報を取得するようにしてもよい（図５参照）。図５は、実施の形態１にかかる水処理システムの変形例を示す図である。図５に示すように、変形例の水処理システム１００ａにおいて、データ管理装置１ａは、第１浄水場３１および第２浄水場３２から位置情報および測定データを取得する。なお、データ管理装置１ａは、位置情報については各浄水場から一度だけ取得する。
【００３３】
実施の形態２．
つづいて、実施の形態２にかかる水処理システムについて説明する。なお、実施の形態２にかかる水処理システムの構成は、実施の形態１にかかる水処理システム１００と同様である。実施の形態２にかかる水処理システムは、データ管理装置の動作が実施の形態１と異なる。本実施の形態では、実施の形態１と共通の部分については説明を省略し、実施の形態１と異なる部分について説明を行う。
【００３４】
以下の説明では、便宜上、実施の形態２にかかる水処理システムを水処理システム１００ｂと記載する。また、水処理システム１００ｂを構成するデータ管理装置をデータ管理装置１ｂと記載する。
【００３５】
浄水場では、水を浄化する際に、消毒、不純物の除去などを行うために薬剤を使用する。薬剤の使用量は原水の水質に依存し、水質が悪いと多量の薬剤が必要となる。そのため、浄水場が取り込む水の水質はできるだけ良いことが望ましい。そこで、本実施の形態では、上流側の第１浄水場３１は、水質の悪化を検知した場合は下流側の第２浄水場３２に警告を行う。これにより、第２浄水場３２は水質悪化の警告を受けた場合は水を取り込むのを中止するなどして処理対象の原水の水質が悪化するのを防止し、浄水処理を効率的に行うことが可能となる。
【００３６】
図６は、実施の形態２にかかるデータ管理装置１ｂの構成例を示す図である。データ管理装置１ｂは、実施の形態１にかかるデータ管理装置１に水質異常検出部２１および警告部２２を追加したものである。
【００３７】
水質異常検出部２１は、水質データ保持部１９Ａが保持している水質データのうち、第１浄水場３１から取得された最新の水質データを確認し、監視対象の特定の水質項目が異常な値を示すか否か、すなわち、監視対象の特定の水質項目の値が正常な範囲内であるか否かを確認する。水質異常検出部２１は、値が正常な範囲内ではない場合は水質異常と判断する。警告部２２は、水質異常検出部２１が水質異常を検出した場合、第２浄水場３２に水質異常の警告を行う。
【００３８】
図７は、実施の形態２にかかるデータ管理装置１ｂの動作の一例を示すフローチャートである。図７に示すフローチャートは、図３に示すフローチャートのステップＳ１４の後にステップＳ１５およびＳ１６を追加したものである。ステップＳ１１〜Ｓ１４については説明を省略する。
【００３９】
データ管理装置１ｂは、ステップＳ１４で補完データを作成して送信した後、水質異常があるかを確認する（ステップＳ１５）。具体的には、水質異常検出部２１が、水質データ保持部１９Ａで保持されている水質データを解析し、第１浄水場３１が取り込んだ水の特定の水質項目の値が異常であるかを確認する。水質異常検出部２１は、例えば、水に含まれる砂および土といった不純物の濃度が定められた閾値以上であるかを確認する。
【００４０】
水質異常がない場合（ステップＳ１５：Ｎｏ）、データ管理装置１ｂは、ステップＳ１１に戻って動作を継続する。これに対して、水質に異常がある場合（ステップＳ１５：Ｙｅｓ）、データ管理装置１ｂは、水質異常警告を送信する（ステップＳ１６）。具体的には、警告部２２が、第１浄水場３１で取り込んだ水の水質が異常であることを示す警告を第２浄水場３２に送信する。この警告を受信した第２浄水場３２は、例えば、河川２から水を取り込むのを停止する。これにより、第２浄水場３２が濁った水を取り込むのを防止し、浄水処理の効率化を実現できる。
【００４１】
データ管理装置１ｂの水質異常検出部２１は、第１浄水場３１が取り込む水の水質異常を検出した場合、第２浄水場３２が取り込む水の水質が異常となる時刻を推定し、水質が異常となる時刻を水質異常警告に含めて送信してもよい。この場合、第２浄水場３２は、水質が異常となるまでの間に取水量を増加させ、必要な量の水を予め取り込んでおくようにしてもよい。
【００４２】
なお、水質異常検出部２１は、第１浄水場３１が取り込む水の水質異常を検出後、水質が正常に戻ったか否かを監視する。第１浄水場３１が取り込む水の水質が正常に戻ったことを水質異常検出部２１が検出した場合、その旨を警告部２２が第２浄水場３２に通知する。このとき、水質異常検出部２１は、第２浄水場３２が取り込む水の水質が正常に戻る時刻を推定し、推定した時刻を警告部２２が第２浄水場３２に通知する。水質が正常に戻る時刻の推定は第２浄水場３２が行うようにしてもよい。
【００４３】
以上説明したように、実施の形態２にかかる水処理システム１００ｂにおいて、データ管理装置１ｂは、実施の形態１にかかるデータ管理装置１が有する機能に加えて、第１浄水場３１で取り込まれる水の水質の変化を監視し、水質が悪化した場合にその旨を第２浄水場３２に通知する機能を有する。水処理システム１００ｂにおいて、第２浄水場３２は、水質が悪化することを予め知ることができ、水質の悪化に備えた動作を行うことができる。
【００４４】
なお、本実施の形態では、第１浄水場３１で取り込まれる水の水質異常をデータ管理装置１ｂが検出することとしたが、第１浄水場３１が水質異常を検出してデータ管理装置１ｂに通知する構成としてもよい。
【００４５】
つづいて、実施の形態１，２にかかるデータ管理装置（データ管理装置１，１ａ，１ｂ）のハードウェア構成について説明する。各データ管理装置（データ管理装置１，１ａ，１ｂ）のハードウェア構成は同一であるため、一例としてデータ管理装置１のハードウェア構成について説明する。図８は、データ管理装置１を実現するハードウェアの一例を示す図である。
【００４６】
実施の形態１にかかるデータ管理装置１は、プロセッサ１０１、メモリ１０２および通信装置１０３により実現することができる。プロセッサ１０１の例は、ＣＰＵ（Central  Processing  Unit、中央処理装置、処理装置、演算装置、マイクロプロセッサ、マイクロコンピュータ、ＤＳＰ（Digital  Signal  Processor）ともいう）またはシステムＬＳＩ（Large  Scale  Integration）である。メモリ１０２の例は、ＲＡＭ（Random  Access  Memory）、ＲＯＭ（Read  Only  Memory）、フラッシュメモリー、等の、不揮発性または揮発性の半導体メモリ、磁気ディスク等などである。
【００４７】
データ管理装置１のデータ取得部１１、データ登録部１２、補完可能データ特定部１３、補完可能データ通知部１４、補完要求受付部１５、補完データ作成部１６および補完データ出力部１７は、これらの各部として動作するためのデータ管理プログラムをプロセッサ１０１が実行することにより実現される。データ取得部１１、データ登録部１２、補完可能データ特定部１３、補完可能データ通知部１４、補完要求受付部１５、補完データ作成部１６および補完データ出力部１７として動作するためのデータ管理プログラムはメモリ１０２に予め格納されている。プロセッサ１０１は、データ管理プログラムをメモリ１０２から読み出して実行することにより、データ取得部１１、データ登録部１２、補完可能データ特定部１３、補完可能データ通知部１４、補完要求受付部１５、補完データ作成部１６および補完データ出力部１７として動作する。
【００４８】
メモリ１０２は、上記のデータ管理プログラムを保持するとともに、データ管理装置１の記憶部１８を実現する。通信装置１０３は、通信部２０を実現する。
【００４９】
なお、図８に示すプロセッサ１０１、メモリ１０２および通信装置１０３で実施の形態２にかかるデータ管理装置１ｂを実現する場合、メモリ１０２には、データ管理装置１ｂのデータ取得部１１、データ登録部１２、補完可能データ特定部１３、補完可能データ通知部１４、補完要求受付部１５、補完データ作成部１６、補完データ出力部１７、水質異常検出部２１および警告部２２として動作するためのデータ管理プログラムが格納される。
【００５０】
また、上記のデータ管理プログラムはメモリ１０２に予め格納されているものとしたがこれに限定されない。上記のデータ管理プログラムは、ＣＤ（Compact  Disc）−ＲＯＭ、ＤＶＤ（Digital  Versatile  Disc）−ＲＯＭなどの記録媒体に書き込まれた状態でユーザに供給され、ユーザがメモリ１０２にインストールする形態であってもよい。また、上記のデータ管理プログラムは、インターネットなどのネットワークを介してユーザに提供される形態であってもよい。
【００５１】
以上の実施の形態に示した構成は、一例を示すものであり、別の公知の技術と組み合わせることも可能であるし、実施の形態同士を組み合わせることも可能であるし、要旨を逸脱しない範囲で、構成の一部を省略、変更することも可能である。
【符号の説明】
【００５２】
１，１ａ，１ｂ  データ管理装置、２  河川、１１  データ取得部、１２  データ登録部、１３  補完可能データ特定部、１４  補完可能データ通知部、１５  補完要求受付部、１６  補完データ作成部、１７  補完データ出力部、１８  記憶部、１９Ａ  水質データ保持部、１９Ｂ  設備データ保持部、２０  通信部、２１  水質異常検出部、２２  警告部、３１  第１浄水場、３２  第２浄水場、１００，１００ａ，１００ｂ  水処理システム。
【図１】
2022002826.tif 000003
【図２】
2022002826.tif 000004
【図３】
2022002826.tif 000005
【図４】
2022002826.tif 000006
【図５】
2022002826.tif 000007
【図６】
2022002826.tif 000008
【図７】
2022002826.tif 000009
【図８】
2022002826.tif 000010